【事件の表示】
　平成　９年特許願第　　２８３４号「多重放送キーワード検索システム」拒絶査定不服審判事件〔平成１０年　７月３１日出願公開、特開平１０−２００４３１〕について、次のとおり審決する。
【結　論】
　本件審判の請求は、成り立たない。
【理　由】
１．手続の経緯・本願発明
　本願は、平成９年１月１０日の出願であって、当審において平成２０年１月７日付けで拒絶理由通知がなされ、それに対し、同年３月６日付けで意見書及び手続補正書が提出されたものであり、その請求項１に係る発明は、上記手続補正書によって補正された明細書及び図面の記載からみて、特許請求の範囲の請求項１に記載されたとおりの次のものと認める。（以下、「本願発明」という。）
「多重放送波により送信される本体の放送とは別の放送データを受信する多重受信手段と、監視する対象となるキーワードと該キーワードの重要度とを登録するための第２のキーワード入力手段と、使用者の操作によって前記第２のキーワード入力手段から登録された使用者所望のキーワードと使用者所望の重要度とを記憶する第２の記憶手段と、キーワード検索用に一時的に放送データを記憶する検索用記憶手段と、前記放送データからキーワード検索を行なう第２の検索手段と、該当する放送データが検索されたことを告知する告知手段と、該告知手段の告知形式を該当するキーワードの重要度に応じて変化するように制御する告知制御手段とを備えていることを特徴とする多重放送キーワード検索システム。」
　　
２．引用例
　これに対して、当審において平成２０年１月７日付けで通知した拒絶の理由に引用した下記の引用例には、それぞれ、次の事項が記載されている。
　
（引用例１）
　特開平８−２７９７９６号公報（以下、「引用例１」という。）には、図面とともに次の事項が記載されている。
　
Ａ．「【要約】  
【課題】 所望のＦＭ音声放送が開始されたことを確実に知らしめることができるようにする。  
【解決手段】 ＦＭチューナ５１Ａで所定の放送局のＦＭ音声放送を受信し、ヘッドホン５５Ｌ，５５Ｒで、その音声信号を聴取する。ＦＭチューナ５１Ｂは、ＦＭチューナ５１Ａとは独立にＦＭ多重放送に多重化されて放送されてくる多重情報（ＦＭ文字放送）を受信する。この多重情報は、制御部６０を介してＲＡＭ６３に記憶される。キー入力部３０を操作して所定のキーワードを入力すると、このキーワードがＲＡＭ６３に記憶される。制御部６０は、予め登録されているキーワードを含む多重情報をＦＭチューナ５１Ｂが受信したとき、ＦＭチューナ５１Ａを制御し、対応するＦＭ音声放送を受信させる。」  
　
Ｂ．「【０００１】
【発明の属する技術分野】本発明は、ＦＭ多重放送受信装置およびＦＭ多重放送送信方法に関し、特に所定のプログラムの放送を確実に知ることができるようにしたＦＭ多重放送受信装置およびＦＭ多重放送送信方法に関する。」
　
Ｃ．「【００４５】図７は、図６の実施例の内部の構成例を表している。この実施例においては、アンテナ１の出力がＦＭチューナ５１Ａと５１Ｂに供給されている。ＦＭチューナ５１Ａは、ＦＭ多重放送のうちの主たる情報としての音声信号（ＦＭ音声放送）を主に受信し、ＦＭチューナ５１Ｂは、多重情報（ＦＭ文字放送）を主に受信する。この２つのチューナは１つで兼用させることもできる。【００４６】ＦＭ復調器５２Ａは、ＦＭチューナ５１Ａの出力を復調し、復調結果をステレオ復調器５３に出力する。ステレオ復調器５３は、ＦＭ復調器５２Ａより入力されたＬ＋Ｒ信号とＬ−Ｒ信号からそれぞれＬ信号とＲ信号を復調し、音声アンプ５４を介して左右のヘッドホン５５Ｌ，５５Ｒにそれぞれ出力するようになされている。  
【００４７】一方、ＦＭ復調器５２Ｂは、ＦＭチューナ５１Ｂより供給された信号を、ＦＭ復調し、復調した結果をＬ−ＭＳＫ復調器５８に出力する。Ｌ−ＭＳＫ復調器５８は、ＦＭ復調器５２Ｂより入力された信号をＬ−ＭＳＫ復調し、誤り訂正復号器５９に出力している。誤り訂正復号器５９は、入力された信号の誤りを訂正した後、制御部６０に出力する。」  
　
Ｄ．「【００６１】即ち、ＲＡＭ６３は、例えば図１５に示すように、情報メモリ１３２、入力バッファ１３１および表示バッファ１３３とにより構成されている。制御部６０は誤り訂正復号器５９より、１，０の２値データにより構成される多重情報の供給を受けたとき、これを入力バッファ１３１に供給し、一旦記憶させる。そして、この２値情報を文字データに変換した後、情報メモリ１３２に供給し、記憶させる。また、キーワードがある場合、それも情報メモリ１３２に記憶させる。  
【００６２】このようにして、情報メモリ１３２には、例えば図１６に模式的に示すように、受信した放送局のＦＭ文字放送に含まれる全ての番組の番組番号、ページ番号およびその内容としての情報（文字や図形とキーワード）が記憶される。」  
　
Ｅ．「【００７２】図８のステップＳ４において入力されたキーがキーワードキー３３であると判定された場合においては、ステップＳ７に進み、キーワード登録処理が実行される。このキーワード登録処理の詳細は図１１に示されている。  
　・・・（中略）・・・　
【００７４】即ち、使用者は、所定のキーワードを登録したいとき、最初に、キーワードキー３３を操作し、続いて文字キー４２を操作して、登録したいキーワードを入力する。入力したキーワードは、例えば図１４（ｃ）に示すように、表示部２１に表示される。図１４（ｃ）においては、「モーツアルト」のキーワードが入力された状態が表されている。  
【００７５】そして、キーワードの入力が完了したとき、使用者が登録キー３４を操作すると、入力したキーワードが、図１６に示すように、情報メモリ１３２のキーワードエリア１３２Ａに登録される。」  
 　  
Ｆ．「【００７６】・・・（中略）・・・キーワードサーチ処理の詳細は図１２に示されている。  
【００７７】ステップＳ８１において、キーワードサーチ処理が開始されると、ステップＳ８２において、所定のチャンネルのＦＭ多重放送受信処理が実行される。即ち、制御部６０は、チューニング制御回路６１を介してＦＭチューナ５１Ｂを制御し、所定の放送局のＦＭ文字放送を受信させる。次に、ステップＳ８３に進み、いま受信した放送局でＦＭ文字放送を行っているか否かを判定し、ＦＭ文字放送が行われていると判定された場合においては、ステップＳ８４に進み、受信した多重情報データを情報メモリ１３２に記憶させる。  
【００７８】次に、ステップＳ８５に進み、ステップＳ８４で情報メモリ１３２に記憶した多重情報（文字とキーワード）中にキーワードエリア１３２Ａに登録されているキーワードと同一のキーワード（文字）が含まれているか否かを判定する。」  
 　  
Ｇ．「【００８１】ステップＳ８５において、情報メモリ１３２に登録した多重情報中に同一のキーワードを含む多重情報が存在すると判定された場合、ステップＳ８８に進み、そのＦＭ文字放送に対応するＦＭ音声放送を受信する処理が実行される。・・・（中略）・・・  
【００８５】次に、ステップＳ９０に進み、報知処理が実行される。即ち、制御部６０は、ブザー２２をから音を出させ（放音させ）、登録したキーワードに対応する放送がいま開始されたことを使用者に知らしめる。」  
　
　上記Ｆの段落【００７８】に、「ステップＳ８４で情報メモリ１３２に記憶した多重情報（文字とキーワード）中にキーワードエリア１３２Ａに登録されているキーワードと同一のキーワード（文字）が含まれているか否かを判定する。」と記載されており、上記引用例１のものは、実質的に、「多重情報中に所定のキーワードが含まれているか否かを判定する判定手段」を含むものであるということができる。
　また、上記Ｇの段落【００８５】に、「制御部６０は、ブザー２２をから音を出させ（放音させ）、登録したキーワードに対応する放送がいま開始されたことを使用者に知らしめる。」と記載されており、上記引用例１における「制御部６０」は、実質的に、「ブザーによる報知処理を実行させる報知制御手段」としての機能を奏するものであるということができる。
　
　よって、上記Ａ〜Ｇの記載及び関連する図面を参照すると、引用例１には、実質的に、次の発明が記載されているものと認められる。（以下、「引用例１記載の発明」という。）
「ＦＭ多重放送により送信される音声信号（ＦＭ音声放送）とは別の多重情報（ＦＭ文字放送）を受信する、アンテナ、ＦＭチューナ、及びＦＭ復調器よりなる手段と、所定のキーワードを登録するためのキー入力部と、使用者の操作によって前記キー入力部から登録された所定のキーワードを記憶する情報メモリのキーワードエリアと、受信した多重情報を記憶する情報メモリと、前記多重情報中に前記所定のキーワードが含まれているか否かを判定する判定手段と、前記所定のキーワードに対応する放送が開始されたことを使用者に知らしめるブザーと、前記ブザーによる報知処理を実行させる報知制御手段とを備えているＦＭ多重放送受信装置。」  
　
（引用例２）
　特開平８−１３９７４７号公報（以下、「引用例２」という。）には、図面とともに次の事項が記載されている。
　
Ｈ．「【要約】
【構成】　無線電子メール受信システムにおいて、受信したメール信号を蓄積する第１記憶手段（３）、重要度を設けたキーワード信号を記憶する第２記憶手段（３ａ）及び受信メール信号を分類する第１制御手段５、及び電子メール群のインデックスとして利用するための第２制御手段５ａを備える。
【効果】　重要度を設定したキーワードにより受信メールを分類し、それに伴うインデックスによる選択を行うものであるから、システムの情報処理能力及びメールの利便性を発揮するものである。」  
　
Ｉ．「【請求項１】　受信したメール信号を蓄積する第１記憶手段、重要度を設けたキーワード信号を記憶する第２記憶手段及び上記受信メール信号を分類する第１記憶手段を備えたことを特徴とする無線電子メール受信システム。
【請求項２】　上記重要度を設けたキーワードを分類した電子メール群のインデックスとして利用するための第２制御手段を備えたことを特徴とする、請求項１に記載の無線電子メール受信システム。
【請求項３】　上記重要度を設けたキーワードによりインデックスを重要度順に作成することによる、電子メールの選択効率を上げる手段を備えたことを特徴とする、請求項２に記載の無線電子メール受信システム。」  
 　  
Ｊ．「【００１７】次に動作については、メールサーバ１０より送信されたメールは、アンテナ１を介して受信され無線部２を経由して、制御部５によりメール蓄積部３に格納される。メール受信完了後、分類制御部５ａは即受信完了したメール１個に対して、メモリ部８ａに記憶されているキーワードを元に内容を検索し分類を開始する（図２参照）。分類されたメールは分類制御部５ａにより、重要度を設けたキーワード別のメール蓄積部３ａに格納される。この時に作成されたキーワードインデックスは、インデックス制御部５ｂにより図４に示すような形式にインデックスメモリ部８ｂにて整えられて、表示部７を経由して出力される。・・・（中略）・・・  
【００１９】次に、図２で、メールの分類動作のフローチャートについて説明する。分類開始される前には、図１のキーワードメモリ部８ａには、重要度を設定したキーワードが格納されているものとする。・・・（中略）・・・
【００２０】分類処理はメール受信完了後に開始され、まずメール蓄積部３より分類すべきメールを選択する（ステップ１）。もし、分類未処理のメールがなければ分類処理は終了する（ステップ２）。その分類未処理とは、現在設定しているキーワードによる分類がなされていない状態を指す。次に、重要度の最も高いキーワードを検索キーとして設定する。・・・（中略）・・・個人が設定した最重要度のキーワード、もしくは最重要度のキーワードとＡＮＤ関係にあるキーワードをすべて検索キーとする。重要度を設定したキーワードはキーワードメモリ部８ａに記憶されている。
【００２１】次に、キーワードを設定しようとしても、調べるキーワードがなくなってしまった（すべてのキーワードについて調べ終わってしまった）場合、ステップ１２へ処理が移る（ステップ４）。次にメールの内容を検索キーで検索する。検索の範囲にはメール内容だけでなく、送信者、タイトル、日時も含まれる。１回の検索中に設定されているすべての検索キーを用いることで、同じメールを何度も先頭から検索しないようにする（ステップ５）。もし、メール内に検索キーと同じキーワードが見つかった場合はステップ９へ処理が移る。・・・（中略）・・・
【００２６】図４は、メール分類時におけるキーワードインデックスの表示出力例を示している。エリア４０はインデックスの重要度を表示する。重要度はアルファベットのＡ〜Ｚである。重要な順に上から並んでいる。」  
　
　上記Ｈ〜Ｊの記載及び関連する図面を参照すると、引用例２には、次の発明が記載されているものと認められる。（以下、「引用例２記載の発明」という。）
「個人が設定可能な重要度順を有するキーワードが格納されたキーワードメモリ部と、該個人が設定可能な重要度順を有するキーワードを元に内容を検索する分類制御部と、該キーワードの重要度順に上から表示部に表示するインデックス制御部を有する無線電子メール受信システム。」
　
（引用例３）
　特開平３−１６３２６号公報（以下、「引用例３」という。）には、次の事項が記載されている。
　
Ｋ．「（産業上の利用分野）
　本発明は、例えば選択呼出受信機のように、情報提供者から無線回線を介して送られた伝達情報を受信し表示器に表示する機能を有した無線通信装置およびこのような装置を有する無線通信システムに関する。」（第２頁左上欄第１５〜２０行）
　
Ｌ．「選択呼出受信機において、受信されたサービス情報が重要か否かを判定するためのしきい値を複数設定し、今回受信されたサービスコードと前回受信されたサービスコードとの差を上記各しきい値と各々比較する。そして、これらの比較結果に基づいてサービス情報の重要度を判定し、この判定結果に基づいて報知を制御するようにしてもよい。例えば、しきい値を２つ設定し、これにより重要度を３段階で判定する場合には、重要度が最も高いと判定された場合には連続音を出力し、重要度が中程度と判定された場合には通常呼出しの場合の鳴音とは異なる断続周期の断続音を出力し、さらに重要度が低いと判定された場合には鳴音を発生しないようにしてもよい。またこの場合、重要度のランクをサービス情報とともにＬＣＤに表示するようにしてもよい。この様にすれば、所有者がサービス情報の重要度をさらに細かく判断することができる。また、上記しきい値を所有者が任意に設定するための機能を選択呼出受信機に設けてもよい。この様にすれば、サービス情報の重要性の判断基準を各所有者が自由に設定することができる。」（第１２頁左下欄第１２行〜右下欄第１３行）
　
　上記Ｋ，Ｌの記載を参照すると、引用例３には、次の発明が記載されているものと認められる。（以下、「引用例３記載の発明」という。）
「受信されたサービス情報の重要度に応じて報知手段の報知形式を変化させるように制御する報知制御手段を備えた選択呼出受信機。」
　
３．対比 
　本願発明と引用例１記載の発明とを対比すると、次のことがいえる。
　
（あ）引用例１記載の発明における「ＦＭ多重放送」、「音声信号（ＦＭ音声放送）」、「多重情報（ＦＭ文字放送）」、「アンテナ、ＦＭチューナ、及びＦＭ復調器よりなる手段」は、それぞれ、本願発明における「多重放送波」、「本体の放送」、「別の放送データ」、「多重受信手段」に相当する。
　
（い）引用例１記載の発明における「所定のキーワード」は、該所定のキーワードが多重情報中に含まれているか否かを判定する際に監視の対象となるものであり、本願発明における「監視する対象となるキーワード」に相当するものである。
　
（う）引用例１記載の発明における「所定のキーワードを登録するためのキー入力部」と、本願発明における「監視する対象となるキーワードと該キーワードの重要度とを登録するための第２のキーワード入力手段」とは、少なくとも、「監視する対象となるキーワードを登録するためのキーワード入力手段」である点で共通する。
　
（え）引用例１記載の発明における「所定のキーワード」は、使用者の操作によってキー入力部から登録されるものであり、しかも、引用例１の上記Ｅの段落【００７４】の「使用者は、所定のキーワードを登録したいとき」との記載によれば、使用者所望のものであるということができる。
　よって、引用例１記載の発明における「使用者の操作によって前記キー入力部から登録された所定のキーワードを記憶する情報メモリのキーワードエリア」と、本願発明における「使用者の操作によって第２のキーワード入力手段から登録された使用者所望のキーワードと使用者所望の重要度とを記憶する第２の記憶手段」とは、少なくとも、「使用者の操作によってキーワード入力手段から登録された使用者所望のキーワードを記憶する記憶手段」である点で共通する。
　
（お）引用例１記載の発明における「情報メモリ」に記憶される「受信した多重情報」は、キーワード検索用に一時的に記憶されるものであると解される。
　よって、引用例１記載の発明における「受信した多重情報を記憶する情報メモリ」は、本願発明における「キーワード検索用に一時的に放送データを記憶する検索用記憶手段」に相当するものである。
　
（か）引用例１記載の発明において、「多重情報中に所定のキーワードが含まれているか否かを判定する」動作は、キーワード検索動作であるということができる。
　よって、引用例１記載の発明における「多重情報中に所定のキーワードが含まれているか否かを判定する判定手段」と、本願発明における「放送データからキーワード検索を行なう第２の検索手段」とは、「放送データからキーワード検索を行なう検索手段」である点で共通する。
　
（き）引用例１記載の発明において、「所定のキーワードに対応する放送が開始されたことを使用者に知らしめる」動作は、キーワード検索の結果、該当する放送データが検索されたことを告知する動作であるということができる。
　よって、引用例１記載の発明における「所定のキーワードに対応する放送が開始されたことを使用者に知らしめるブザー」は、本願発明における「該当する放送データが検索されたことを告知する告知手段」に相当するものである。
　
（く）引用例１記載の発明における「ブザーによる報知処理を実行させる報知制御手段」と、本願発明における「告知手段の告知形式を該当するキーワードの重要度に応じて変化するように制御する告知制御手段」とは、少なくとも、「告知手段を制御する告知制御手段」である点で共通する。
　
（け）引用例１記載の発明における「ＦＭ多重放送受信装置」は、単に多重放送を受信するだけでなく、キーワード検索をも行うものであり、「多重放送キーワード検索システム」と称することができるものである。
　
　上記（あ）〜（け）の事項を踏まえると、本願発明と引用例１記載の発明とは、次の点で一致し、また、相違するものと認められる。
　
（一致点）
　本願発明と引用例１記載の発明とは、ともに、
「多重放送波により送信される本体の放送とは別の放送データを受信する多重受信手段と、監視する対象となるキーワードを登録するためのキーワード入力手段と、使用者の操作によって前記キーワード入力手段から登録された使用者所望のキーワードを記憶する記憶手段と、キーワード検索用に一時的に放送データを記憶する検索用記憶手段と、前記放送データからキーワード検索を行なう検索手段と、該当する放送データが検索されたことを告知する告知手段と、該告知手段を制御する告知制御手段とを備えている多重放送キーワード検索システム。」
である点。
　
（相違点）
　相違点１：本願発明においては、「キーワード入力手段」が「キーワードの重要度」をも登録するためのものであり、また、「記憶手段」が「使用者所望の重要度」をも記憶するものであるのに対し、引用例１記載の発明における「キー入力部」及び「情報メモリのキーワードエリア」は、そのようなものとはなっていない点。
　
　相違点２：「告知制御手段」が、本願発明においては、「告知手段の告知形式を該当するキーワードの重要度に応じて変化するように制御する」ものであるのに対し、引用例１記載の発明においては、そのようなものとはなっていない点。
　
４．判断 
　そこで、上記相違点１，２について検討する。
　
（相違点１について）
　一般に、受信されたデータのキーワード検索を行うシステムにおいて、キーワードの他に該キーワードに対して使用者所望の重要度を設定するようにすることは、引用例２記載の発明に見られるような周知技術にすぎない。
　よって、引用例１記載の発明に対して上記周知技術を適用することにより、「キーワード入力手段」を「キーワードの重要度」をも登録するためのものとし、また、「記憶手段」を「使用者所望の重要度」をも記憶するものとすることは、当業者が適宜になし得る事項にすぎないものと認められる。  
　
（相違点２について）
　上記引用例２には、キーワードに対して重要度を設定したキーワード検索の表示制御において、該当するキーワードの重要度順に表示を行うように制御する技術が記載されている。すなわち、使用者は、引用例２の図４に示されるような表示出力を見て、重要なキーワードを含むメールが到着しているか否かを重要度順に識別できるようになっている。
　ここで、上記引用例２記載の発明は、キーワードの重要度に応じてその表示順を設定するようにすることにより、使用者に対してキーワードを含むメールの重要度の度合いを知らしめるようにしたものであるが、上記引用例３には、受信されたサービス情報の重要度に応じて報知手段の報知形式を変化させることにより、使用者に対してサービス情報の重要度の度合いを知らしめるような技術が記載されており、このような技術を参酌すれば、キーワードの重要度に応じて告知形式を変化させるように制御することも、当業者が適宜になし得ることにすぎないものと認められる。
　よって、引用例１記載の発明の報知制御手段に対して上記引用例２，３に記載の発明を参酌することにより、「告知制御手段」を「告知手段の告知形式を該当するキーワードの重要度に応じて変化するように制御する」ものとすることは、当業者が適宜になし得る事項にすぎないものと認められる。  
　
　そして、本願発明の構成によってもたらされる効果も、引用例１〜３に記載の発明から当業者ならば容易に予測することができる程度のものであって、格別のものとはいえない。 
　
　なお、請求人は、平成２０年３月６日付けの意見書において、本願発明について、次のように主張している。
「例えば、キーワードとして、使用者の好きなアーティスト名を登録しておけば、音楽番組を聴かずに、裏番組のトーク番組を聴いていたとしても、使用者の好きなアーティストの曲が流れていることを知ることができます。
　そして、実際に流れている曲を聴こうと思えば、受信放送局を切り替える必要があります。
　受信放送局を切り替えた後の使用者の感想には、例えば、次の２つが考えられます。
　１．好きなアーティストの曲を聴けて嬉しい。受信放送局を切り替えたのは成功であった。
　２．裏番組のトーク番組の方が面白かった。受信放送局を切り替えたのは失敗であった。
　本願の請求項１に係る発明は、キーワードにおける使用者所望の重要度に応じて告知形式を変化させるものであり、
　例えば、流れている曲の重要度と、現在聴いているトーク番組の面白さとを比較して、受信放送局を切り替えるべきかどうかを判断する機会を使用者に与えることによって、上記２のような事態を生じにくくしています。
　すなわち、本願の請求項１に係る発明は、受信放送局を切り替えるべきかどうかの判断材料を使用者に提供するものであります。」
　
　確かに、引用例１の図１２のフローチャートに示される実施例においては、ステップＳ８８でキーワード有のＦＭ音声放送を受信した後に、ステップＳ９０で報知を行っているため、該実施例に対して引用例２，３に記載の発明を参酌して重要度の要素を加味するようなものとしても、当該ＦＭ音声放送を受信した後、すなわち受信放送局が切り替わった後に報知することになるため、受信放送局を切り替えるべきかどうかの判断材料とはなり得ない。
　しかしながら、引用例１の図１２のフローチャートに示されるものは、あくまで実施例でしかなく、実際、引用例１の請求項１は、受信放送局が切り替わった後に報知することが限定された記載とはなっていない。
　そして、本願発明においても、受信放送局を切り替えることについては何ら記載されておらず、受信放送局の切り替えのタイミングについても何らの特定もなされていない。
　すなわち、請求人の主張するように、「受信放送局を切り替えるべきかどうかの判断材料を使用者に提供する」ためには、キーワードの重要度に応じて変化する告知を、「受信放送局を切り替える」前に行う必要があるにもかかわらず、本願発明においては、そのことについて何ら特定されていない。
　よって、請求人の上記意見書における主張は、本願発明の記載に基づくものではなく、失当である。
　
５．むすび
　以上のとおり、本願発明は、引用例１〜３に記載の発明に基いて、当業者が容易に発明をすることができたものであるので、特許法第２９条第２項の規定により特許を受けることができない。
　したがって、本願は、他の請求項について検討するまでもなく、拒絶されるべきものである。
　よって、結論のとおり審決する。